(57)【要約】【課題】止水部材とその駆動部間の取付構造及び止水部材と下枠間の取付構造も簡単で、止水部材の交換を簡単に行うことができるフラップ式止水装置を提供することを目的とする。【解決手段】前記フラップ式止水装置１は、戸枠２に取付けられた浴室ドアとしての折戸３を閉じた時に、フラップ材１０の両端が略同時に引き上げられて起立するように、フラップ材１０を起倒される起倒機構を収容した筐体４が戸枠２両サイドに配置されている。そして、前記折戸３を開いた時にフラップ材１０が倒れることで、浴室側と脱衣側の床面を略同一にしたバリアフリー仕様において、浴室側からの漏水を防止している。【選択図】        図２
2004293051.tif 000002
【特許請求の範囲】
【請求項１】
戸枠に取付けられる浴室ドアが閉じられるときに、その初期位置から略水平方向にスライドし、一方、前記浴室ドアが開けられるときに、その初期位置に戻るラッチ部材と、
一端が前記ラッチ部材のスライド動作に同調し、その初期位置から略水平方向にスライドすると共に、他端が斜め上方にスライドし、一方、前記ラッチ部材の戻り動作に同調し、その初期位置に戻る第１アーム部材と、
一端が前記第１アーム部材の斜め上方へのスライド動作に同調し、その初期位置から上方に変位し、一方、前記第１アーム部材の戻り動作に同調し、その初期位置に戻る第２アーム部材と、
前記第２アーム部材の他端に着脱自在に取付けられたフラップ材を備えると共に、
前記ラッチ部材、第１アーム部材及び第２アーム部材を筐体に収容し、且つ  少なくとも前記戸枠の何れかの竪枠に配置したことを特徴とするフラップ式止水装置。
【請求項２】
前記フラップ材は、第１硬質部と前記戸枠の下枠に着脱自在に取付けられた第２硬質部とその中間の軟質部が２種成形されたことを特徴とする請求項１に記載のフラップ式止水装置。
【請求項３】
前記第２アームはバネであることを特徴とする請求項１又は２に記載のフラップ式止水装置。
【発明の詳細な説明】
【０００１】
【発明の属する技術分野】
本発明は、例えば浴室と脱衣室間の床面に設けられて、浴室側からの漏水、オーバフローを防ぐフラップ式止水装置に関する。
【０００２】
【従来の技術】
従来から、バリアフリーの観点から、浴室の床面と脱衣室の床面との段差を無くし、両室の床面が同一または略同一のレベルになるような構成が知られている。
この場合には、浴室から脱衣室側への漏水等を防ぐため、戸本体の下枠にフラップ状の止水材を取付ける場合がある（例えば、特許文献１）。
【０００３】
【特許文献１】
特開２００１−９０４４９号公報（第３頁段落００１１、図１）
【０００４】
【発明が解決しようとする課題】
しかしながら、特許文献１では、前記フラップ状の止水材５を起倒させるためのスイッチとなる第１、第２の当接部２３，２４がドア３を開いたときに、入浴者の目に入ってしまう、
また、第１、第２の当接部２３，２４を取付ける駆動装置２０と止水部材５との取付構造が複雑である、
さらに、前記駆動装置２０は、浴室ドアにつき１組のみが取付けられており、起立している前記止水部材５が撚れるおそれがある、等を指摘できる。
【０００５】
そこで、本発明は、上記諸点を解決するためになされたもので、意匠性を高め、入浴者が安心して入浴することができ、また止水部材とその駆動部間の取付構造及び止水部材と下枠間の取付構造も簡単で、止水部材の交換を簡単に行うことができ、さらに止水部材の撚れを防ぐことができるフラップ式止水装置を提供することを目的とする。
【０００６】
【課題を解決するための手段】
上記課題を解決するため、フラップ式止水装置は、戸枠に取付けられる浴室ドアが閉じられるときに、その初期位置から略水平方向にスライドし、一方、前記浴室ドアが開けられるときに、その初期位置に戻るラッチ部材と、一端が前記ラッチ部材のスライド動作に同調し、その初期位置から略水平方向にスライドすると共に、他端が斜め上方にスライドし、一方、前記ラッチ部材の戻り動作に同調し、その初期位置に戻る第１アーム部材と、一端が前記第１アーム部材の斜め上方へのスライド動作に同調し、その初期位置から上方に変位し、一方、前記第１アーム部材の戻り動作に同調し、その初期位置に戻る第２アーム部材と、前記第２アーム部材の他端に着脱自在に取付けられたフラップ材を備える（請求項１に記載の発明）。
【０００７】
前記フラップ材の起倒は、前記ラッチ部材のスライド力が、前記第１アーム部材に伝達されて吊上げ力又は吊下げ力に変換され、それらの力が第２アーム部材に伝達されて、前記フラップ材を吊上げたり、吊下げることによって行なわれる。
これらの起倒の機構は、ラッチ部材、第１アーム部材及び第２アーム部材が筐体に納められることで、柔らかな外観を作り出し、意匠性を高める。
また、前記フラップ材は、前記第２アーム部材の他端に着脱自在に取付けられ、また前記戸枠の下枠に着脱自在に取付けられるので、フラップ材の交換を簡単に行うことができる。
【０００８】
前記筐体が少なくとも前記戸枠の何れかの竪枠に配置されることでフラップ材の起倒を行うことができるが、前記戸枠の左右竪枠に配置することで、フラップ材の両サイドの吊上げ、吊下げを行なうので、その捩れを防ぐことができる。
【０００９】
上記発明において、前記フラップ材は、第１硬質部と前記戸枠の下枠に着脱自在に取付けられた第２硬質部とその中間の軟質部が２種成形されたことを特徴とする（請求項２に記載の発明）。
前記フラップ材の起倒は、フラップ材の軟質部が中心となり、特別な回動機構を必要としない。
また、上記発明において、前記第２アームはバネであることから、起立時のフラップ材が誤って踏まれたとしても、フラップ材が倒れ込むことで、その毀損を防ぐことができる（請求項３に記載の発明）。
【００１０】
【発明の実施の形態】
本発明の実施の形態について図面を参照しつつ詳細に説明する。
図１はフラップ式止水装置が配置された浴室ドアの脱衣室側正面図、図２は同装置の要部斜視図、図３（Ａ）は同装置のスイッチとなる「押圧部材」を取付けた浴室ドア竪框の要部斜視図、同図（Ｂ）は同装置を収納した筐体の斜視図である。
これら各図及び後述の各図において同一符号は、同一の構成を意味し、重複した説明は省略する。
【００１１】
図１〜図３に示したように、前記フラップ式止水装置１は、戸枠２に取付けられた浴室ドアとしての折戸３を閉じた時に、フラップ材１０の両端が略同時に吊上げられるように、フラップ材１０の起倒機構を収容した筐体４が戸枠２両サイドに配置されている。
そして、浴室側と脱衣側の床面を略同一にしたバリアフリー仕様において、浴室側からのオーバーフロー等の漏水を防止している。
【００１２】
前記折戸３は、その吊先框３０がスライド可能に、その吊元框３１が回転可能に、それぞれ前記戸枠２の上枠２０に取付けられている。
前記折戸３の一方の竪框３３には、手掛け５が取付けられ、その手掛け５を浴室側に押出すことで折戸３が開き、脱衣側に引くことで折戸３を閉じるようになっている。
【００１３】
前記折戸３の吊先框３０及び吊元框３１の下部には、浴室に向かって、それぞれ押圧部材６が取付けられている（図３（Ａ））。
この押圧部材６は、前記起倒機構のスイッチとなるもので、吊元框３１側の押圧部材６は、その先端から除除に肉厚となるように、横断面形状が略Ｊ字状に成形されている。
これは、吊元框３１側の押圧部材６は、回転しながら前記筐体４のラッチ部材１１（詳細は後述）に当接することを考慮したものである。このような形状は吊先框３０側の押圧部材６には必要ないことから、その押圧部材６の横断面形状は略長方体となっている（図１０参照）。
【００１４】
これら押圧部材６は、前記各框３０、３１に形成されている孔（図示せず）を介して取付けられるもので、合成樹脂等で成形されるが、これに代わり框３０、３１自体を押圧部材状に成形してもよい。
【００１５】
前記筐体４は、図１に示したように前記戸枠２の竪枠２１、２２にそれぞれ固定されている。これら左右の筐体４の構成は、略同一であるので、左筐体を右筐体に代表させて説明する。
【００１６】
前記筐体４は、ケース４０と蓋４１から構成され、ケース４０が前記竪枠２１に固定され、入浴者の視線に入る脱衣室側の前記筐体４にはラウンドＲが付けられている。
よって、入浴者に違和感を与えることがない外観となっている。
この筐体４内には、前記折戸３が閉じられたときに前記押圧部材６により押されて初期位置から略水平方向にスライドし、一方、前記折戸３が開けられたときに前記押圧部材６から解放されて初期位置に戻るラッチ部材１１と、一端が前記ラッチ部材１１のスライドに同調し、初期位置から略水平方向にスライドすると共に、他端が斜め上方にスライドし、一方、前記ラッチ部材戻り動作に同調してその初期位置に戻る第１アーム部材としてのアーム１２と、一端が前記アーム１２と同調し、その初期位置から上方に変位し、一方、前記アームの戻り動作に同調して前記初期位置に戻る第２アーム部材としてのバネ１３が収容されている。
【００１７】
前記ラッチ部材１１は、図３及び図４のように、平面形状が楔状に成形され、その楔部１１０が前記筐体４の開口４２から出没可能に取付けられている。
前記ラッチ部材１１の基部１１１には、ラッチ部材１１を常時、前記開口４２方向に附勢するバネ１１２が取付けられ、楔部１１０が前記開口４２から突出している状態が初期位置となっている。
また、前記ラッチ部材１１の側部のスライド軸１１３は筐体４の横長穴部１１４に沿ってスライド可能に構成されている。
なお、前記楔部１１０が臨む筐体４の開口４２は、前記押圧部材６を受入れ可能なように受入れ切欠溝４３が形成されている（図３（Ｂ））。
【００１８】
前記アーム１２は、その一端が前記スライド軸１１３に回動自在に取付けられ、前記スライド軸１１３が図面上、前記横長穴部１１４の左隅にある位置の初期位置から前記ラッチ部材１１と同調して前記横長穴部１１４に沿ってスライドされる。前記アーム１２の他端は斜行軸１２１に軸着され、その斜行軸１２１が筐体４に形成された右上がり穴部１２２に沿ってスライドされる。
【００１９】
前記バネ１３は、その一端が前記斜行軸１２１に取付けられ、他端が前記フラップ材１０に取付けられている。
そして前記斜行軸１２１が前記右上がり穴部１２２の下部隅にあるときが初期位置となっている。
【００２０】
前記フラップ材１０は図５、図６に示されているように前記戸枠２の下枠２３に沿って配置されていると共に、前記バネ１３に取付けられる第１硬質部１００と、下枠に取付けられる第２硬質部１０１と、その中間の軟質部１０２を２色成形した合成樹脂から構成されている。
前記第１硬質部１００は、前記バネ１３の一端が取付けられて起倒する部分であり、その両端部１０３が前記筐体４の下部のガイド面４４（図４参照）に臨まされている。そして前記バネ１３の一端を取付けるための取付ボタン１０４が取付孔１０５を介して固着されている。
なお、第１硬質部１００の先端は、戸枠下枠２３に向かってラウンド処理されている。
前記第２硬質部１０１は、前記戸枠２の下枠２３に着脱自在に取付けられるように、その裏面に前記下枠２３の溝２３０への係止片１０６が形成されている。このような構成により、前記フラップ材１０の高さ寸法を低く押えることができる。
前記軟質部１０２は、前記第１硬質部１００が起倒する場合に、折曲部となる部分である。
【００２１】
このように構成されたフラップ材の第１、第２硬質部１００、１０１は、例えばＡＡＳ樹脂で、硬度１００度にて成形する。また、軟質部１０２は、例えばＴＰＯ（熱可塑性オレフィン・ポリマー・ブレンド）樹脂で、硬度６０〜７０度にて成形する。
合成樹脂の種類は、上記のものに限定されることはなく、その他の合成樹脂であってもよい。
【００２２】
以上のように構成されたフラップ式止水装置の動作例を図７及び図８に基づいて説明する。
図７は、前記ラッチ部材１１、前記アーム１２及び前記バネ１３がそれぞれ初期位置にあることを示している。
この状態から、折戸３が除除に閉められると、前記押圧部材６が前記ラッチ部材１１を筐体４の開口４２に押し込むようになる。その結果、ラッチ部材１１のスライド力が、前記アーム部材１２に伝達されて吊上げ力に変換され、バネ１３により前記フラップ材１０の吊上げが行なわれる。フラップ材１０はその軟質部１０２を中心に前記第１硬質部１００が起立される。
【００２３】
なお、この状態で、万が一、フラップ材１０が踏まれても、その力は前記バネ１３によりかわされるので、フラップ材１０等が保護される。
【００２４】
一方、折戸３が除除に開けられると、前記押圧部材６が前記ラッチ部材１１を解放する。その結果、前記バネ１１２がラッチ部材１１を初期位置に戻すと、その逆スライド力が前記アーム部材１２に伝達されて吊下げ力に変換され、バネ１３を介して前記フラップ材１０の吊下げが行なわれる。
よって、上記フラップ式止水装置では、メカニカルな部分が筐体４でカバーされており、且つ、意匠的にスマートな装置となっている。
また、フラップ材１０の取替えも、前記バネ１３の一端と取付ボタン１０４の着脱と、前記戸枠２の下枠２３と前記係止片１０６の着脱のみでよく、スムーズに行うことができる。
【００２５】
上記実施形態では浴室ドアは折戸であったが、図９〜図１１のように開き戸３Ａの戸枠２両サイドに上記押出部材６、筐体４を、下枠に前記フラップ材１０を配置してもよい。
即ち、上記実施形態と略同一の構成により、同一の作用効果を奏する。
【００２６】
また、図１２のように、前記フラップ式止水装置１の浴室側に、一次止水としての下框止水材７と、二次止水としてボトム式止水材８を配置し、前記フラップ式止水装置１を三次止水としてもよい。
【００２７】
なお、上記実施形態では、戸枠２側両サイドに上記押出部材６、筐体４を配置しているが、何れか一方のサイドでもよい。
【００２８】
【発明の効果】
請求項１に記載の発明によれば、前記フラップ材の起倒は、第２アーム部材による前記フラップ材の吊上げと吊下げによって行なわれるので、構造が簡素である。
これらの起倒の機構は、ラッチ部材、第１アーム部材及び第２アーム部材が筐体に納められることで、柔らかな外観を作り出し、意匠性を高める。
また、前記フラップ材は、前記第２アーム部材の他端に着脱自在に取付けられ、また前記戸枠の下枠に着脱自在に取付けられるので、フラップ材の交換を簡単に行うことができる。
【００２９】
請求項２に記載の発明によれば、前記フラップ材の起倒は、フラップ材の軟質部を中心として行われ、特別な回動機構が必要とされることはなく、極めて簡単な構造となっている。
また、請求項３に記載の発明によれば、前記第２アームはバネであることから、起立時のフラップ材が誤って踏まれたとしても、フラップ材が倒れ込むことで、その毀損を防ぐことができる
【図面の簡単な説明】
【図１】実施形態に係るフラップ式止水装置を配置した浴室ドアの脱衣室側正面図である。
【図２】同フラップ式止水装置の要部斜視図である。
【図３】（Ａ）（Ｂ）同フラップ式止水装置の要部斜視図である。
【図４】（Ａ）フラップ式止水装置の断面図、（Ｂ）同平面断面図、（Ｃ）同側面断面図である。
【図５】（Ａ）同フラップ式止水装置のフラップ材の正面図、（Ｂ）同フラップ式止水装置のフラップ材の平面図である。
【図６】フラップ材の取付け平面図である。
【図７】フラップ式止水装置の動作説明図である。
【図８】フラップ式止水装置の動作説明図である。
【図９】他の実施形態に係るフラップ式止水装置を配置した浴室ドアの脱衣室側正面図である。
【図１０】同動作説明図である。
【図１１】同動作説明図である
【図１２】他の実施形態に係るフラップ式止水装置を配置した浴室ドアの断面図である。
【符号の説明】
１  フラップ式止水装置              ２  戸枠
３  折戸
４  筐体                            ５  手掛け
６  押圧部材
１０  フラップ材                    １１  ラッチ部材
１２  アーム                        １３  バネ
２０  上枠                          ２１、２２  竪枠
２３  下枠
３０  吊先框                        ３１  吊元框
３２  ３３  竪框                    ４０  ケース
４１  蓋                            ４２  開口
４３受入れ切欠溝                    ４４  ガイド面
１００  第１硬質                    １０１  第２硬質部
１０２  軟質部                      １０３  両端部
１０４  取付ボタン                  １０５  取付孔
１０６  係止片
１１０  楔部                        １１１基部
１１２  バネ
１１３  スライド軸                  １１４  横長穴部
１２１  斜行軸
１２２  右上がり穴部
２３０  溝
【図１】
2004293051.tif 000003
【図２】
2004293051.tif 000004
【図３】
2004293051.tif 000005
【図４】
2004293051.tif 000006
【図５】
2004293051.tif 000007
【図６】
2004293051.tif 000008
【図７】
2004293051.tif 000009
【図８】
2004293051.tif 000010
【図９】
2004293051.tif 000011
【図１０】
2004293051.tif 000012
【図１１】
2004293051.tif 000013
【図１２】
2004293051.tif 000014